(57)【特許請求の範囲】
【請求項１】
逆開き用スライダー１、箱棒３、蝶棒４から形成された逆開き開離嵌挿具において、蝶棒４は逆開き用スライダー１の停止爪２５を押し上げる押上用の斜面６を設け、斜面６は表面先端から基端側へ向けて斜設してなることを特徴とするスライドファスナーの逆開き開離嵌挿具。
【請求項２】
停止爪２５の押上用の斜面６を蝶棒４の表面全幅に斜設してなる請求項１記載のスライドファスナーの逆開き開離嵌挿具。
【請求項３】
停止爪２５の押上用の斜面６を蝶棒４の表面内側に斜設してなる請求項１記載のスライドファスナーの逆開き開離嵌挿具。
【請求項４】
停止爪２５の押上用の斜面６を蝶棒４の表裏両面に斜設してなる請求項１記載のスライドファスナーの逆開き開離嵌挿具。
【請求項５】
蝶棒４に斜設した斜面６よりも基端側寄りに停止爪２５の嵌入用の凹部７を設けてなる請求項１記載のスライドファスナーの逆開き開離嵌挿具。
【請求項６】
蝶棒４に設けた停止爪２５の嵌入用の凹部７は、入口側に傾斜状の面取り部８を形成してなる請求項５記載のスライドファスナーの逆開き開離嵌挿具。
【請求項７】
箱棒３の先端に逆開き用スライダーの脱出防止用の突部１０を設けてなる請求項１記載のスライドファスナーの逆開き開離嵌挿具。
【請求項８】
箱棒３の先端側の外側面に蝶棒４の退避用の膨張部９を設けてなる請求項１記載のスライドファスナーの逆開き開離嵌挿具。
【請求項９】
箱棒３のファスナーエレメント１８側の端部に停止爪２５の押上用の斜面６を斜設してなる請求項１記載のスライドファスナーの逆開き開離嵌挿具。
【発明の詳細な説明】
【０００１】
【発明の属する技術分野】
この発明は、スライドファスナーにおける逆開き開離嵌挿具であり、逆開き用スライダー、箱棒、蝶棒から形成された逆開きタイプの開離嵌挿具の蝶棒に改良を加え、円滑な開離嵌挿操作が行える逆開き開離嵌挿具に関するものである。
【０００２】
【従来の技術】
従来のスライドファスナー用開離嵌挿具は、図９に示すように箱棒のファスナーエレメント側の端部における内側縁、すなわちファスナーテープ側の縁部を切り欠いて斜面状に面取りした開離嵌挿具が実公昭６３−３１６０７号公報に開示されている。
【０００３】
また図１０に示すように開離嵌挿具の蝶棒において、スライダーの停止爪が当接する先端側における半分の外側縁部の隅部を斜面状に切り欠いて斜面を形成し、その斜面に続いてファスナーエレメントの止部の基部までの半分の縁部に内側が斜面、外側が水平面を形成する形に切り欠いて停止爪の係止を回避する回避部を形成した開離嵌挿具が特開平１１−１７８６１５号公報に開示されている。
【０００４】
【発明が解決しようとする課題】
前項で述べた図９に示す開離嵌挿具は、箱体と箱棒が固定された箱体に蝶棒を差し込む際、スライダーが傾いた状態で箱体に接したところへ蝶棒を差し込むため、箱棒側に位置する停止爪を箱棒の正常な位置へスライダーとともに移動させるため、箱棒の隅部を切り欠いて移動を容易にした開離嵌挿具であるため、蝶棒側に停止爪が存在するとき、特に逆開きタイプの開離嵌挿具における蝶棒には利用できないものである。
【０００５】
また図１０に示す開離嵌挿具は、箱体、箱棒、蝶棒から形成された通常タイプの開離嵌挿具であるため、箱体の代わりに逆開き用スライダーを用いる逆開きタイプの開離嵌挿具には利用できない。すなわちファスナーチェンの端部に配置するスライダーを安定した状態で保持することはできない。しかも停止爪を押し上げる作用がないから、通常タイプの開離嵌挿具の蝶棒でも、スライダーの始動がスムーズに行かないなど問題点がある。
【０００６】
この発明は、上述の問題点を考慮して発明されたものであり、この発明のうち請求項１記載の発明は、スライドファスナーの逆開き開離嵌挿具であり、逆開き用スライダー、箱棒、蝶棒から形成される逆開きタイプの開離嵌挿具に適した蝶棒を案出したものであり、蝶棒を停止爪を備えた自動停止装置付または半自動停止装置付のスライダーにスムーズに差し込むことができ、しかも安定したスライダーの保持ができ、そのうえスライダーの始動がスムーズに行える逆開きタイプの開離嵌挿具の蝶棒を備え、優れた開離嵌挿機能が発揮できるスライドファスナーの逆開き開離嵌挿具を提供することが主たる目的である。
【０００７】
請求項２、３および４記載の発明は、それぞれ請求項１記載の発明の目的に加え、それぞれ特定の形態を備えた逆開きタイプの開離嵌挿具の蝶棒を各種のスライドファスナーに適用できる形に形成し、逆開きタイプの開離嵌挿具の利用範囲の拡大が図れるスライドファスナーの逆開き開離嵌挿具を提供することが目的である。
【０００８】
請求項５および６記載の発明は、請求項１記載の発明の目的に加え、逆開きタイプの開離嵌挿具に用いる逆開き用スライダーを安定した状態で保持でき、また逆開き用スライダーをスムーズに始動させることができ、逆開きの開離嵌挿機能を高めることができるスライドファスナーの逆開き開離嵌挿具を提供することが目的である。
【０００９】
請求項７、８および９記載の発明は、それぞれ請求項１記載の発明の目的に加え、それぞれ逆開きタイプの開離嵌挿具における箱棒に対し、特定の形態を装備させて、優れた逆開きの開離嵌挿機能が発揮できるスライドファスナーの逆開き開離嵌挿具を提供することが目的である。
【００１０】
【課題を解決するための手段】
前記の目的を達成するため、この発明のうち請求項１記載の発明は、逆開き開離嵌挿具を逆開き用スライダー１、箱棒３、蝶棒４とから形成し、蝶棒４を逆開き用スライダー１に差し込むとき、逆開き用スライダー１に装備した自動停止装置または半自動停止装置の停止爪２５を押し上げる押上用の斜面６を設け、斜面６は蝶棒４の表面の先端から基端側へ向けて斜設したスライドファスナーの逆開き開離嵌挿具を主な構成とするものである。
【００１１】
請求項２記載の発明は、請求項１記載の発明の構成に加え、逆開きタイプの開離嵌挿具の蝶棒４に形成する、自動停止装置または半自動停止装置の停止爪２５を押し上げる押上用の斜面６を、蝶棒４の表面の全幅に斜設したスライドファスナーの逆開き開離嵌挿具である。
【００１２】
請求項３記載の発明は、請求項１記載の発明の構成に加え、逆開きタイプの開離嵌挿具の蝶棒４に形成する、自動停止装置または半自動停止装置の停止爪２５を押し上げる押上用の斜面６を蝶棒４の表面の内側に斜設したスライドファスナーの逆開き開離嵌挿具である。
【００１３】
請求項４記載の発明は、請求項１記載の発明の構成に加え、逆開きタイプの開離嵌挿具の蝶棒４に形成する、自動停止装置または半自動停止装置の停止爪２５を押し上げる押上用の斜面６を、蝶棒４の表面および裏面の両面に斜設したスライドファスナーの逆開き開離嵌挿具である。
【００１４】
請求項５記載の発明は、請求項１記載の発明の構成に加え、逆開きタイプの開離嵌挿具の蝶棒４に斜設した斜面６よりも基端側寄りに、自動停止装置付または半自動停止装置付逆開き用スライダー１の停止爪２５が嵌入し保持できる凹部７を設けたスライドファスナーの逆開き開離嵌挿具である。
【００１５】
請求項６記載の発明は、請求項５記載の発明の構成に加え、逆開きタイプの開離嵌挿具の蝶棒４に設けた自動停止装置付または半自動停止装置付き逆開き用スライダー１の停止爪２５が嵌入し、保持できる凹部７は、入口側に傾斜状の面取り部８を形成したスライドファスナーの逆開き開離嵌挿具である。
【００１６】
請求項７記載の発明は、請求項１記載の発明の構成に加え、逆開きタイプの開離嵌挿具の箱棒３の先端に、ファスナーチェン１５に挿通される逆開き用スライダー１が抜脱するのを防ぐための突部１０を設けたスライドファスナーの逆開き開離嵌挿具である。
【００１７】
請求項８記載の発明は、請求項１記載の発明の構成に加え、逆開きタイプの開離嵌挿具における箱棒３の先端側の外側面に、配備された逆開き用スライダー１の案内柱２２に蝶棒４が衝接するのを回避するための、蝶棒４の退避用の膨張部９を設けたスライドファスナーの逆開き開離嵌挿具である。
【００１８】
請求項９記載の発明は、請求項１記載の発明の構成に加え、逆開きタイプの開離嵌挿具の箱棒３におけるファスナーエレメント１８側の端部に、自動停止装置付または半自動停止装置付逆開き用スライダー１の停止爪２５を押し上げる押上用の斜面６を設けたスライドファスナーの逆開き開離嵌挿具である。
【００１９】
【発明の実施の形態】
以下、この発明のスライドファスナーの逆開き開離嵌挿具の実施の形態について、図面を参照しながら具体的に説明する。
【００２０】
この発明のスライドファスナーの逆開き開離嵌挿具は、図１〜４に示す第１実施例の逆開き開離嵌挿具のように、逆開き用スライダー１、箱棒３、蝶棒４の三部材から形成され、ファスナーチェン１５には逆開き用スライダー１の他にもファスナーチェン１５を開閉するスライダー５が挿通されている。逆開き用スライダー１およびスライダー５は図６に示すように平行に配した上翼板２７と下翼板２８の一端を案内柱２２で連結した胴体２１を、亜鉛合金、アルミニウム合金などの金属をダイキャスト成形し、側面に停止爪２５を突設したカバー２４を金属板をプレス加工して形成して胴体２１に被着し、被着したカバー２４と胴体２１との間にスプリング２９を内装して停止爪２５を自動的に胴体２１のファスナーエレメント１８をガイドするガイド溝２３に弾出させる。
【００２１】
ファスナーチェン１５は一対のファスナーストリンガ１６のファスナーテープ１７の対向側縁に配設した膨大状の芯部１９に沿って一定間隔毎にファスナーエレメント１８をポリアミド、ポリアセタール、ポリプロピレン、ポリプチレンテレフタレートなどの熱可塑性樹脂を用いて射出成形加工する。各ファスナーストリンガ１６の端部には、ファスナーエレメント１８に隣接して一方に角棒状の箱棒３、他方に同じく角棒状の蝶棒４を前記熱可塑性樹脂を用いて、ファスナーテープ１７および芯部１９を包被する形で溶着した補強テープ２０上に射出成形し、箱棒３、蝶棒４はそれぞれ逆開き用スライダー１およびスライダー５の大きさの略１．５倍の長さの角棒状体に成形する。
【００２２】
箱棒３は図２に示すように、逆開き用スライダー１の一方のファスナーエレメント１８をガイドするガイド溝２３に嵌挿した際に、逆開き用スライダー１が抜脱できないように箱棒３の先端裏側に図１に示すような小形の突部１０を突設し、下翼板２８の前端と当接可能としている。また箱棒３の先端側の外側面には、逆開き用スライダー１に嵌挿したとき、胴体２１の案内柱２２に向け外側へ膨出する膨張部９を設け、逆開き用スライダー１の他方のファスナーエレメント１８をガイドするガイド溝２３に嵌挿される蝶棒４と接触し、蝶棒４の進路を変えて逆開き用スライダー１の案内柱２２に衝接するのを回避させる。
【００２３】
さらに箱棒３の内側面、すなわちファスナーテープ１７側の縁部は、逆開き用スライダー１のフランジ２６の内側面に合致する形に成形し、箱棒３が逆開き用スライダー１内に安定した状態で保持できるように形成する。また箱棒３の基端部すなわちファスナーエレメント１８と隣接する側の端部の表面には、スライダー５の停止爪２５を押し上げる押上用の斜面６を斜設してスライダー５を停止爪２が箱棒３の表面に乗り上がった状態で保持する。更に箱棒３に基端の外側面には舌片状の小片１２を突設し、蝶棒４の基端寄り外側面に設けた凹陥部１１に嵌入させて、蝶棒４と箱棒３とがファスナーチェン１５の表裏方向に位置ずれしないようにして保持する。
【００２４】
逆開き開離嵌挿具の蝶棒４は、図１に示すように、ファスナーテープ１７の端部に溶着した補強テープ２０の一側縁に角棒状に成形され、かつ蝶棒４は箱棒３に比べて、細く形成して差し込み易い形にする。さらに蝶棒４の表面は先端から基端側へ向けて中央近傍まで傾斜する斜面６を、蝶棒４の内側すなわちファスナーテープ１７側に設けて、逆開き用スライダー１の停止爪２５を徐々に押し上げ、蝶棒４の表面に停止爪２５が抵抗なく乗り上がるようにする。また斜面６よりも基端側寄りに凹陥状の小形の凹部７を形成し、逆開き用スライダー１の自動停止爪２５を嵌入して保持する。かつ凹部７の入口は傾斜状の面取り部８が形成され、蝶棒４を逆開き用スライダー１から抜き出すときに、凹部７より停止爪２５が容易に脱出することができる。蝶棒４の基端外側には箱棒３の小片１２が嵌入できる凹陥部１１が形成され蝶棒４と箱棒３とがファスナーテープ１７の表裏方向に位置ずれしないように保持する。
【００２５】
逆開き開離嵌挿具の使用態様は、図２に示すように箱棒３を設置したファスナーストリンガ１６に逆開き用スライダー１を嵌挿して配置し、この状態で他のスライダー５を挿通して逆開き用スライダー１に当接させ、蝶棒４を設置したファスナーストリンガ１６を、図３、４、５に示す状態で蝶棒４をスライダー５のガイド溝２３に挿入し、次に逆開き用スライダー１に嵌挿し、両ファスナーストリンガ１６を引き揃えた後、スライダー５を引き上げてファスナーチェン１５を閉鎖させる。
【００２６】
さらにファスナーチェン１５を逆開き状に分離開放させるには、閉鎖された状態における、逆開き用スライダー１をファスナーチェン１５の開口方向へ引き上げファスナーチェン１５を開離開口させ、左右のファスナーストリンガ１６に分離開放させる。
【００２７】
図７に示す蝶棒４の変形例は、蝶棒４の表面に形成する逆開き用スライダー１の停止爪２５を押し上げる押上用の斜面６と、停止爪２５を嵌入し保持する凹部７とを蝶棒４の全幅にわたって設け、自動停止装置のいかなる形態の停止爪２５にも対応できるように形成し、スムーズに蝶棒４の嵌挿操作が行えるようにする。
【００２８】
図８に示す蝶棒４の変形例は、蝶棒４の裏面にも自動停止装置の自動停止爪２５を押し上げる押上用の斜面６を形成して蝶棒４を逆開き用スライダー１に対し、右差し、左差しのいずれの方向からでも嵌挿できるように形成し、ジャンパーなどの衣服のリバーシブル用に適用できるように形成する。なお蝶棒４には停止爪２５が嵌入し保持できる凹部７を設置することも自由にできる。
【００２９】
【発明の効果】
この発明のスライドファスナーの逆開き開離嵌挿具は、以上説明したとおりの構成であり、この構成によって下記の効果を奏する。
【００３０】
この発明のうち請求項１記載の発明は、逆開き開離嵌挿具を逆開き用スライダー、箱棒、蝶棒から形成し、蝶棒は逆開き用スライダーの停止爪を押し上げる押上用の斜面を設け、斜面は表面先端から基端側へ向けて斜設したことによって、逆開きタイプの開離嵌挿具における蝶棒を自動停止機構または半自動停止機構を備えた逆開き用スライダーに対し、きわめてスムーズに嵌挿することができ、また上開きタイプのスライダーは勿論、逆開き用スライダーの始動がスムーズに行うことができ、優れた逆開きタイプの開離嵌挿機能を発揮できる効果がある。
【００３１】
請求項２記載の発明は、請求項１記載の発明の効果に加え、自動停止爪の押上用の斜面を蝶棒の表面全幅に斜設したことによって、逆開きタイプにおけるいかなる自動停止機構または半自動停止機構を備えたスライダーにも簡単に適用することができる効果がある。
【００３２】
請求項３記載の発明は、請求項１記載の発明の効果に加え、停止爪の押上用の斜面を蝶棒の表面内側に斜設したことによって、蝶棒の取付強度の低下を抑える効果がある。
【００３３】
請求項４記載の発明は、請求項１記載の発明の効果に加え、停止爪の押上用の斜面を蝶棒の表裏両面に斜設したことによって、逆開きタイプの開離嵌挿具であっても、蝶棒を右差し、左差しのいずれにも利用でき、ジャンパーなどの衣服のリバーシブル用に簡単に適用できる効果がある。
【００３４】
請求項５記載の発明は、請求項１記載の発明の効果に加え、蝶棒に斜設した斜面よりも基端側寄りに停止爪の嵌入用の凹部を設けたことによって、逆開きタイプの開離嵌挿具の蝶棒に、逆開き用スライダーをきわめて安定した状態で保持できる効果がある。
【００３５】
請求項６記載の発明は、請求項７記載の発明の効果に加え、蝶棒に設けた停止爪の嵌入用の凹部は、入口側に傾斜状の面取り部を形成したことによって、逆開き用スライダーの始動操作をきわめてスムーズに行うことができる効果がある。
【００３６】
請求項７記載の発明は、請求項３記載の発明の効果に加え、箱棒の先端に逆開き用スライダーの脱出防止用の突部を設けたことによって、逆開き用スライダーを簡単な構成で、確実かつ安定した状態で箱棒に保持できる効果がある。
【００３７】
請求項８記載の発明は、請求項３記載の発明の効果に加え、箱棒の先端側の外側面に蝶棒退避用の膨張部を設けたことによって、逆開き用スライダーに蝶棒を挿入したとき、スライダーの案内柱に衝突することがなく、きわめてスムーズに蝶棒の嵌挿操作を行うことができる効果がある。
【００３８】
請求項９記載の発明は、請求項３記載の発明の効果に加え、箱棒のファスナーエレメント側の端部に停止爪の押上用の斜面を斜設したことによって、逆開きタイプの開離嵌挿具の箱棒も停止爪の押上機構を備えていえるので、軽快にスライダーの開閉操作が行える効果があるなど、この発明が奏する効果はきわめて顕著である。
【図面の簡単な説明】
【図１】逆開きタイプの開離嵌挿具の箱棒と蝶棒を示す斜視図である。
【図２】同上開離嵌挿具における蝶棒の嵌挿初期の状態を示す部分断面図である。
【図３】同上開離嵌挿具における蝶棒の嵌挿中期の状態を示す部分断面図である。
【図４】同上開離嵌挿具における蝶棒の嵌挿完了時の状態を示す部分断面図である。
【図５】同上開離嵌挿具における蝶棒の要部の縦断面図である。
【図６】自動停止装置付スライダーの一部切断した正面図である。
【図７】蝶棒の変形例を示す斜視図である。
【図８】蝶棒の変形例を示す斜視図である。
【図９】公知の開離嵌挿具における蝶棒の嵌挿初期の状態を示す部分断面図である。
【図１０】他の公知の開離嵌挿具における蝶棒の嵌挿初期の状態を示す部分断面図である。
【符号の説明】
１            逆開き用スライダー
２            箱体
３            箱棒
４            蝶棒
５            スライダー
６            斜面
７            凹部
８            面取り部
９            膨張部
１０            突部
１８            ファスナーエレメント
２５            停止爪
【図１】
0003621040.tif 000002
【図２】
0003621040.tif 000003
【図３】
0003621040.tif 000004
【図４】
0003621040.tif 000005
【図５】
0003621040.tif 000006
【図６】
0003621040.tif 000007
【図７】
0003621040.tif 000008
【図８】
0003621040.tif 000009
【図９】
0003621040.tif 000010
【図１０】
0003621040.tif 000011